(57)【要約】【課題】  物干竿に設置する付属品と専用ハンガーを一体的に使用することで強風時におけるハンガーの落下や滑りによる通気性の悪化を防止する。【解決手段】  物干竿本体に付属品を取付け、そこに専用ハンガーを掛けると付属品の滑り防止柵と反転落下防止固定部により専用ハンガーが物干竿上で自動的に固定され、ハンガーが物干竿上を滑ることや、反転して落下することを防止する。【選択図】図１０
2020130978.tif 000002
【特許請求の範囲】
【請求項１】
物干竿本体に設置して使用する付属品で、一側面にハンガーの滑りを防止する柵を有し、更にその外側にハンガーが反転して落下を防止するための固定部を設け、この付属品の形状に適合する専用ハンガーを使用することでハンガーのすべり、落下という２つの問題を解消する滑り落下防止外干用ハンガーセット
【発明の詳細な説明】
【技術分野】
【０００１】本発明は洗濯物を屋外干する際、強風によりハンガーが物干竿からの落下又、落下しないまでも強風でハンガーが物干竿上を滑り、一方向に移動して、その結果ハンガー通しの間隔が狭くなることで通気性が悪化することを防止するための措置を施し、安心して屋外干しが出来るようにした物干竿の付属品とその付属品に適合する形状のハンガーをセットにしたものである。
【背景技術】
【０００２】  物干竿の付属品として様々な商品が販売されている。多くは洗濯物を均等の間隔で干すための商品である。強風で洗濯物が物干竿上を滑ることによりハンガーとハンガーの間隔が狭くなることで通気性が悪くなることを防止する目的としたものである。【０００３】  物干竿本体の下部に付属品として初めから取り付けられた製品もある。これらの付属品は一定の間隔でハンガーを通すための穴が設けられており、この穴にハンガーを差し込んで洗濯物を干すようになっている。【０００４】  ハンガーにはキャッチ式ハンガーというものがある。フックを物干竿に固定するので、これを使用するとハンガーが物干竿から落下する心配はない。
【先行技術文献】
【特許文献】
【０００５】
【特許文献１】特許４４９９８２２公報
【発明の概要】
【発明が解決しようとする課題】
【０００６】洗濯物を外干しする際、問題となるのは主に２つの点である。１つは強風でハンガーが竿上を滑ることでハンガー間の間隔が狭くなり、互いの洗濯物の通気性が悪化することで、これはよくあることである。もう１つは強風に洗濯物が煽られ、ハンガーごと舞い上げられ、反転して物干竿からはずれて落下してしまうことである。【０００７】物干竿を断面図から見ると筒形で円形の形状であり、物干竿に掛けるハンガーのフックの部分も竿に合わせるために円形の形状をしている。この形状は風で洗濯物が舞い上げられるとそのままハンガーが反転しやすく物干竿から落下してしまう結果を招く。【０００８】  物干竿に設置して使用する付属品として、一定間隔に穴が開けられ、その中にハンガーを通して洗濯物を干す製品も販売されているが、こちらもハンガーを固定するものではないので、落下を防止することは出来ない。洗濯物通しの通気性を保つことは出来るが、もっと深刻な課題であるハンガーを物干竿からの落下を防止するということを解決出来ていない。【０００９】  物干竿から落下を防止する商品としてフックの部分がキャッチ式のハンガーがある。こちらは物干竿からの落下は防止出来るが、物干竿上の滑りを防止するための措置は講じられていない。従ってこのハンガーを複数使用した状況では通気性を確保できるとは限らない。その他、この商品は１つのハンガー単独の商品なのでこれ１つでは複数の洗濯物を同時に干すことは出来ない。
【課題を解決するための手段】
【００１０】ハンガーを物干し竿上で動かないように固定出来れば、ハンガーが物干竿の上を滑ることや、反転して物干竿から落下することはなくなる。各ハンガーが物干竿上で動かないように固定され、工夫を施したものが本発明である。
【発明の効果】
【００１１】  本発明を使用することで強風や突風等が発生してもハンガーの落下や物干竿上を滑ることで通気性が悪くなる心配はなく、安心して洗濯物の屋外干しが可能になる。
【図面の簡単な説明】
【００１２】
【図１】付属品を物干竿本体に取り付けた状態を側面から見た図
【図２】付属品を物干竿本体に取り付けた状態を反対側の側面から見た図
【図３】付属品を物干竿本体に取り付けた状態を上から見た図
【図４】付属品を物干竿本体に取り付けた状態を下から見た図
【図５】付属品を閉じた状態の断面図
【図６】付属品を開いた状態の断面図
【図７】付属品と連動して使用する専用ハンガーの全体図
【図８】付属品を側面から見た全体図
【図９】付属品を反対側の側面から見た全体図
【図１０】付属品を専用ハンガーと合わせて使用した状態を表す全体図
【図１１】専用ハンガーを使用した状態でフックの部分を拡大した断面図
【発明を実施するための形態】
【００１３】  付属品２を物干竿本体に設置する。その際、付属品のハンガー反転防止固定部が地面に対して垂直になっていることを確認する。付属品の下部の止め具６はしっかり固定する。
【実施例】
【００１４】  以下、添付図面に従って説明する。使用方法としては、物干竿に設置された付属品の滑り防止固定部３いずれかの位置に専用ハンガー７を掛けるだけである。そこでハンガーの位置が固定され、強風の影響で横に滑ることはない。【００１５】  専用ハンガー７を掛ける付属品の滑り防止固定部３の先端部分はある程度、尖った形状になっている。これはハンガーを掛ける際、直接固定部の先端部分と衝突しないようにする為の工夫である。【００１６】  市販されている既製品にハンガーを通すための穴が一定間隔で設けられた外干用の補助具がある。これは通気性を保つ点では優れているが、穴の位置が固定されているため、その箇所以外に使用することが出来ない。本発明ではそのような制約はない。【００１７】  本発明の付属品に専用ハンガー７を掛けたとき、専用ハンガーの先端部７ａは自動的に反転防止固定部４内に収納されるしくみになっている。仮に強風により洗濯物が煽られ、ハンガーが反転しそうになっても専用ハンガーの先端部７ａが反転防止固定部４の中にあるために反転が抑えられる構造になっている。結果としてハンガーが落下することを回避することが出来る。【００１８】本発明が使用された状態が図１０である。この専用ハンガーは一般的なハンガーよりも先端部分７ａが長くなっているが、この部分が付属品の固定部内に差し込まれることでハンガー７が固定される。専用ハンガー７がやや特異な形状になっているのは本発明の付属品の固定部と適合した形状にするためである。既存のハンガーには様々な形状のものが存在するが、本発明の付属品と一体化して使用出来る形状のものは皆無であった。【００１９】  本発明の付属品本体と専用ハンガーはそれぞれ独立した個体であるが、一体的に使用するものである。付属品本体のみでは本発明の目的を達成出来ない。付属品本体に適合する専用ハンガーがあって初めて本発明の目的を達成出来る。既存のハンガーとの組み合わせで使用することは困難である。【００２０】干した洗濯物を取り込む場合は、通常の外干しのときと同様に専用ハンガーを上に持ち上げるだけで物干竿から外すことが出来る。
【符号の説明】
【００２１】１    物干竿本体
２    物干竿に取り付けする付属品本体
３    ハンガー滑り防止柵
４    ハンガー反転防止固定部
５    付属品本体上部の金属製止め具
６    付属品本体下部の止め具
７    付属品本体と併用する専用ハンガー
７ａ  専用ハンガーのフック先端部
【図１】
2020130978.tif 000003
【図２】
2020130978.tif 000004
【図３】
2020130978.tif 000005
【図４】
2020130978.tif 000006
【図５】
2020130978.tif 000007
【図６】
2020130978.tif 000008
【図７】
2020130978.tif 000009
【図８】
2020130978.tif 000010
【図９】
2020130978.tif 000011
【図１０】
2020130978.tif 000012
【図１１】
2020130978.tif 000013
【手続補正書】
【提出日】平成31年3月20日(2019.3.20)
【手続補正１】
【補正対象書類名】特許請求の範囲
【補正対象項目名】全文
【補正方法】変更
【補正の内容】
【特許請求の範囲】
【請求項１】
物干竿本体に設置して使用する付属品で、一側面にハンガーの滑り防止の柵を有し、更にその外側にハンガーの反転落下防止の固定部を設け、当該付属品の形状に適合する専用のハンガーを一体的に使用する滑り落下防止外干用ハンガーセット。
【手続補正書】
【提出日】令和1年10月31日(2019.10.31)
【手続補正１】
【補正対象書類名】特許請求の範囲
【補正対象項目名】全文
【補正方法】変更
【補正の内容】
【特許請求の範囲】
【請求項１】
ハンガーの滑り防止の柵と、ハンガーの反転防止の固定部と、を備えた物干竿に設置して使用する付属品と、ハンガーと、からなる滑り落下防止外干用ハンガーセットであって、前記柵は、物干竿の長手方向一列に配置された、先端部分が尖った形状の複数の棒状体からなり、前記固定部は前記柵の側面のうち物干竿とは反対の側面に、物干竿の長手方向に前記柵と同じ長さに設けられた開口を有するとともに、ハンガーの先端部が前記開口から差し込まれることで前記ハンガーを固定するものであり、前記ハンガーは先端部が直線状であり、前記付属品に掛けたとき、前記先端部が前記固定部に差し込まれるものである、滑り落下防止外干用ハンガーセット。